(57)【要約】      （修正有）【課題】ヘッド部材や柄部材を使用者の好みに応じて選択し易いだけでなくブラシによって使用者の歯茎を過度に押圧し難い構成を有した歯ブラシを提供する。【解決手段】前後方向に延びる基材と基材の先端部に植設されたブラシとを備えるヘッド部材１と、ヘッド部材よりも後に配された前後方向に延びる柄部材２と、ヘッド部材と柄部材との間に介設され前後方向中間部の針金状部分３２が弾性変形可能なバネ部材３とを備えた歯ブラシであり、バネ部材の前端部の板状部分３１が、基材の後端部Ｒに対して着脱可能に構成され、バネ部材の後端部の板状部分３３が、柄部材の前端部Ｆに対して着脱可能に構成されている。【選択図】図３
0003227573.tif 000002
【実用新案登録請求の範囲】
【請求項１】
前後方向に延びてなる基材と当該基材の先端部に植設されたブラシとを備えてなるヘッド部材と、前記ヘッド部材よりも後に配された前後方向に延びてなる柄部材と、前記ヘッド部材と前記柄部材との間に介設され前後方向中間部が弾性変形可能なバネ部材とを備えた歯ブラシであって、
前記バネ部材の前端部が、前記基材の後端部に対して着脱可能に構成されたものであり、
前記バネ部材の後端部が、前記柄部材の前端部に対して着脱可能に構成されたものである歯ブラシ。
【請求項２】
前記バネ部材が金属製のものであり、
前記バネ部材の前端部が、前記基材の後端部に設けられた第一挿入穴に挿入される板状部分であり、
前記バネ部材の後端部が、前記柄部材の前端部に設けられた第二挿入穴に挿入される板状部分であり、
前記バネ部材の前後方向中間部が、左右に対をなし前後方向に延びてなる針金状部分である請求項１記載の歯ブラシ。
【考案の詳細な説明】
【技術分野】
【０００１】
本考案は、歯ブラシに関するものである。
【背景技術】
【０００２】
従来から種々の歯ブラシが発明されている（例えば特許文献１参照）。
【０００３】
ところが、従来の歯ブラシは、ブラシを設けたヘッド部材や使用者により把持される柄部材が一体的に作られているため、ヘッド部材や柄部材にバリエーションを持たせて使用者の好みに応じて選択することができないものとなっていた。しかも、従来の歯ブラシは、柄部材に対してヘッド部材が柔軟に相対移動することができず、ブラシによって歯茎を過度に押圧し易いものとなっていた。
【先行技術文献】
【特許文献】
【０００４】
【特許文献１】特開２０２０−１８８７１号公報
【考案の概要】
【考案が解決しようとする課題】
【０００５】
本考案は、このような課題に着目してなされたものであって、ヘッド部材や柄部材を使用者の好みに応じて選択し易いだけでなくブラシによって使用者の歯茎を過度に押圧し難い構成を有した歯ブラシを提供することにある。
【課題を解決するための手段】
【０００６】
すなわち、本考案は次の構成をなしている。
【０００７】
請求項１に係る考案は、前後方向に延びてなる基材と当該基材の先端部に植設されたブラシとを備えてなるヘッド部材と、前記ヘッド部材よりも後に配された前後方向に延びてなる柄部材と、前記ヘッド部材と前記柄部材との間に介設され前後方向中間部が弾性変形可能なバネ部材とを備えた歯ブラシであって、前記バネ部材の前端部が、前記基材の後端部に対して着脱可能に構成されたものであり、前記バネ部材の後端部が、前記柄部材の前端部に対して着脱可能に構成されたものである歯ブラシである。
【０００８】
このような構成のものであれば、バネ部材に対してヘッド部材だけでなく柄部材も着脱可能に構成されているため、ヘッド部材や柄部材を使用者の好みに応じて選択し得る構成を提供しやすいだけでなく、ヘッド部材と柄部材との間にバネ部材を介設させているため、ブラシによって使用者の歯茎を過度に押圧し難い歯ブラシを提供することができる。
【０００９】
請求項２に係る考案は、前記バネ部材が金属製のものであり、前記バネ部材の前端部が、前記基材の後端部に設けられた第一挿入穴に挿入される板状部分であり、前記バネ部材の後端部が、前記柄部材の前端部に設けられた第二挿入穴に挿入される板状部分であり、前記バネ部材の前後方向中間部が、左右に対をなし前後方向に延びてなる針金状部分である請求項１記載の歯ブラシである。
【００１０】
このようなものであれば、バネ部材が、ヘッド部材及び柄部材に対して着脱し易いものとなるとともに、左右に対をなす針金状部分によって柄部材に対してヘッド部材を柔軟に相対移動させ得るものとなっている。
【考案の効果】
【００１１】
以上説明したように本考案によれば、ヘッド部材や柄部材を使用者の好みに応じて選択し易いだけでなくブラシによって使用者の歯茎を過度に押圧し難い構成を有した歯ブラシを提供することができる。
【図面の簡単な説明】
【００１２】
【図１】本考案の一実施形態を示す底面図。
【図２】同実施形態を示す分解底面図。
【図３】図１におけるＸ方向矢視図（同実施形態を示す部分拡大右側面図）。
【考案を実施するための形態】
【００１３】
以下、本考案の一実施形態を、図１〜３を参照して説明する。
【００１４】
歯ブラシＨは、前後方向に延びてなる基材１１と当該基材１１の先端部に植設されたブラシ１２とを備えてなるヘッド部材１と、ヘッド部材１よりも後に配された前後方向に延びてなる柄部材２と、ヘッド部材１と柄部材２との間に介設され前後方向中間部たる針金状部分３２が弾性変形可能なバネ部材３とを備えている。
【００１５】
ヘッド部材１は、前後方向に長手をなす合成樹脂製の基材１１の先端部に使用者の歯に直接的に触れるブラシ１２が設けられたものである。基材１１の後端部Ｒには、バネ部材３の前端部である板状部分３１が挿入される第一挿入穴Ａ１が設けられている。第一挿入穴Ａ１は基材１１の後端面における上下方向中間部から前方に向かって穿設されている。基材１１の後端部Ｒには、上面側から下方に向かって上下方向に穿設された第一ねじ孔ｎ１を備えている。バネ部材３の板状部分３１には中央部にねじ挿通孔３１ｎが形成されている。板状部分３１は、第一挿入穴Ａ１に挿入され、その後、第一ねじ孔ｎ１及びねじ挿通孔３１ｎに挿通されたねじｖ１をナットｐ１に螺合することにより基材１１の後端部Ｒに固定されるようになっている。
【００１６】
柄部材２は、前後方向に長手をなす合成樹脂製のものである。柄部材２は、使用者が把持する部位である。柄部材２の前端部Ｆには、バネ部材３の後端部である板状部分３３が挿入される第二挿入穴Ａ２が設けられている。第二挿入穴Ａ２は柄部材２の前端面における上下方向中間部から後方に向かって穿設されている。柄部材２の前端部Ｆには、上面側から下方に向かって上下方向に穿設された第二ねじ孔ｎ２を備えている。バネ部材３の板状部分３３には中央部にねじ挿通孔３３ｎが形成されている。板状部分３３は、第二挿入穴Ａ２に挿入され、その後、第二ねじ孔ｎ２及びねじ挿通孔３３ｎに挿通されたねじｖ２をナットｐ１に螺合することにより柄部材２の前端部Ｆに固定されるようになっている。
【００１７】
バネ部材３は、金属製のものである。バネ部材３は、前端部である板状部分３１が基材１１の後端部Ｒに対して着脱可能に構成されている。バネ部材３は、後端部である板状部分３３が、柄部材２の前端部Ｆに対して着脱可能に構成されている。バネ部材３は、弾性変形し易く構成された前後方向中間部である針金状部分３２を有している。
【００１８】
前端部たる板状部分３１は、基材１１の後端部Ｒに設けられた第一挿入穴Ａ１に挿入されるものである。板状部分３１は平面視において矩形状をなしており、中央部にねじ挿通孔ｎ１が形成されている。
【００１９】
後端部たる板状部分３３は、柄部材２の前端部Ｆに設けられた第二挿入穴Ａ２に挿入されるものである。板状部分３３は平面視において矩形状をなしており、中央部にねじ挿通孔ｎ２が形成されている。
【００２０】
前後方向中間部である針金状部分３２は、左右に対をなし前後方向に延びてなるものである。左右に対をなす針金状部分３２は、外力を受けて弾性変形し易い細径の丸棒状をなしている。
【００２１】
以上の構成を有する歯ブラシＨは、ブラシを設けたヘッド部材１、及び、使用者により把持される柄部材２がそれぞれ仲介部材であるバネ部材３に対して着脱可能に構成されている。そのため、ヘッド部材１や柄部材２にバリエーションを持たせて使用者の好みに応じて選択することができ、使用者に合わせたカスタマイズ化を容易に実現し得るものとなっている。また、この歯ブラシＨであれば、柄部材２に対してヘッド部材１が柔軟に相対移動し得るものとなるため、ヘッド部材１のブラシ１２によって使用者の歯茎を過度に押圧し難いものとなっている。
【００２２】
なお、本考案は、以上に詳述した実施形態に限られるものではない。
【００２３】
バネ部材の形状は種々の形状を採り得るものであり、上述した実施形態に示されたものには限られない。また、バネ部材の材質についても必ずしも金属に限られるものではない。
【００２４】
その他、各部の具体的構成についても上記実施形態に限られるものではなく、本考案の趣旨を逸脱しない範囲で種々変形が可能である。
【符号の説明】
【００２５】
Ｈ…歯ブラシ
１…ヘッド部材
２…柄部材
３…バネ部材
【図１】
0003227573.tif 000003
【図２】
0003227573.tif 000004
【図３】
0003227573.tif 000005